(57)【特許請求の範囲】
【請求項１】
建物開口部に設けられる枠体内に固定障子を固定すると共に、該固定障子の室内側に開閉自在とされた片引き形式の可動障子を納めてなり、前記枠体を構成する下枠は、前記可動障子を走行させるレール部を備えると共に、上面が室内外に渡って略平坦に形成されてなる下枠フラットサッシにおいて、
前記下枠には該下枠の上面を覆うと共に前記固定障子を構成する下框の室内側上端に渡る樹脂下枠が設けられ、該樹脂下枠は前記固定障子の室内側であって前記レール部の室外側に設けられる中間樹脂下枠と、前記レール部から下枠の室内端部に渡って設けられる室内樹脂下枠とからなり、
前記中間樹脂下枠は前記下框の室内側内周端部に係合する固定障子取付部と、前記レール部に固定されるレール固定部とを有し、前記中間樹脂下枠の上面は略平坦状に形成されると共に、前記レール部と略同じ高さを有してなることを特徴とする下枠フラットサッシ。
【請求項２】
前記可動障子は室外面下端部が下方に垂下された室外垂下片を有し、該室外垂下片は前記レール部の室外側に形成された室外凹部内に納められ、該室外凹部は室内面が前記レール部で構成されると共に、底面及び室外面が前記中間樹脂下枠で構成され、
前記中間樹脂下枠は前記室外凹部の室外面を構成する面に長手方向に沿ってタイト材保持部を備え、該タイト材保持部にタイト材が設けられると共に、該タイト材は前記障子の室外垂下片に当接することを特徴とする請求項１記載の下枠フラットサッシ。
【発明の詳細な説明】
【技術分野】
【０００１】
本発明は、枠体内に固定障子を固定し可動障子を片引き形式として納めてなり下枠の上面を略平坦としてなる下枠フラットサッシに関し、特に室内側露出部分を樹脂材により構成してなる下枠フラットサッシに関する。
【背景技術】
【０００２】
従来、建物開口部に設けられる枠体内に障子を納めてなるサッシにおいて、下枠に設けられる障子用のレール部を室内側の床面と略同じ高さとし、下枠上面を略平坦としてなる下枠フラットサッシが知られている。これは、下枠上面を略平坦とすることにより、サッシ内外を通りやすくし、特に車椅子の走行を容易とするので、バリアフリーに対応することのできるものである。このような下枠フラットサッシとしては、例えば特許文献１に挙げるようなものがある。
【特許文献１】特開２００５−２３２９５２号公報
【発明の開示】
【発明が解決しようとする課題】
【０００３】
従来の下枠フラットサッシは、主に枠体及び障子が金属材により構成されていた。また、障子を安定的に走行させるため、障子の室内側下端部と室外側下端部をそれぞれ延出して延出片を形成し、下枠に設けた凹部内に配置するようにしている。これにより延出片は凹部によって室内外方向に移動が規制されるので、障子の走行時における振れを抑えることができる。
【０００４】
一方で、サッシにおいては断熱性及び意匠性を向上させるために金属材の室内側露出部分に樹脂材を設けてなる複合材を用いた複合サッシが知られている。固定障子と可動障子を有した下枠フラットサッシを複合サッシとするには、内障子と外障子で構成が全く異なる上、部品数も増えるために構造が複雑となりがちであった。
【０００５】
本発明は前記課題を鑑みてなされたものであり、枠体内に固定障子と可動障子を納め、かつ室内側露出部分を樹脂材で構成しつつ簡易な構造とした下枠フラットサッシを提供することを目的とする。
【課題を解決するための手段】
【０００６】
前記課題を解決するため、本発明に係る下枠フラットサッシは、建物開口部に設けられる枠体内に固定障子を固定すると共に、該固定障子の室内側に開閉自在とされた片引き形式の可動障子を納めてなり、前記枠体を構成する下枠は、前記可動障子を走行させるレール部を備えると共に、上面が室内外に渡って略平坦に形成されてなる下枠フラットサッシにおいて、
前記下枠には該下枠の上面を覆うと共に前記固定障子を構成する下框の室内側上端に渡る樹脂下枠が設けられ、該樹脂下枠は前記固定障子の室内側であって前記レール部の室外側に設けられる中間樹脂下枠と、前記レール部から下枠の室内端部に渡って設けられる室内樹脂下枠とからなり、
前記中間樹脂下枠は前記下框の室内側内周端部に係合する固定障子取付部と、前記レール部に固定されるレール固定部とを有し、前記中間樹脂下枠の上面は略平坦状に形成されると共に、前記レール部と略同じ高さを有してなることを特徴として構成されている。
【０００７】
また、本発明に係る下枠フラットサッシは、前記可動障子は室外面下端部が下方に垂下された室外垂下片を有し、該室外垂下片は前記レール部の室外側に形成された室外凹部内に納められ、該室外凹部は室内面が前記レール部で構成されると共に、底面及び室外面が前記中間樹脂下枠で構成され、
前記中間樹脂下枠は前記室外凹部の室外面を構成する面に長手方向に沿ってタイト材保持部を備え、該タイト材保持部にタイト材が設けられると共に、該タイト材は前記障子の室外垂下片に当接することを特徴として構成されている。
【発明の効果】
【０００８】
本発明に係る下枠フラットサッシによれば、下枠の樹脂下枠は固定障子の室内側であってレール部の室外側に設けられる中間樹脂下枠と、レール部から下枠の室内端部に渡って設けられる室内樹脂下枠とからなり、中間樹脂下枠は下框の室内側内周端部に係合する固定障子取付部と、レール部に固定されるレール固定部とを有し、中間樹脂下枠の上面は略平坦状に形成されると共に、レール部と略同じ高さを有してなることにより、中間樹脂下枠によって固定障子と可動障子間の下枠上面を簡易な構造で平坦状とすることができ、枠体内に固定障子と可動障子を納め、かつ室内側露出部分を樹脂材で構成したサッシを簡易な構造とすることができる。
【０００９】
また、本発明に係る下枠フラットサッシによれば、中間樹脂下枠は室外凹部の室外面を構成する面に長手方向に沿ってタイト材保持部を備え、タイト材保持部にタイト材が設けられると共に、タイト材は障子の室外垂下片に当接することにより、枠体と可動障子の間の気密性を高めると共に、可動障子が開いた際にはタイト材が室外凹部を覆うため、室外凹部を見えにくくして意匠性を高めることができる。
【発明を実施するための最良の形態】
【００１０】
本発明の実施形態について、図面に沿って詳細に説明する。図１には、本実施形態における下枠フラットサッシの正面図を示している。この図に示すように、本実施形態における下枠フラットサッシは、建物開口部に設けられる枠体１内に、外障子として固定障子２を納め、内障子として片引き形式の可動障子３を納めて構成されている。なお、図１は下枠フラットサッシを室外側から見たものである。また、図２１（ａ）に本実施形態の下枠フラットサッシの斜視図を示している。
【００１１】
枠体１は、上枠１０と下枠１１及び左右の縦枠１２、１２を方形状に枠組みして構成される。枠体１内に納められる固定障子２は、上框２０と下框２１、枠側縦框２２及び召合せ框２３を方形状に框組みしてなる固定框体４内にガラス板からなるパネル体６を納めて構成される。また、枠体１内に納められる可動障子３は、上框３０と下框３１、枠側縦框３２及び召合せ框３３（図１には表れていない）を方形状に框組みしてなる可動框体５内にガラス板からなるパネル体６を納めて構成される。
【００１２】
枠体１内において、固定障子２は室外側寄りに、可動障子３は室内側寄りに、それぞれ納められており、可動障子３は固定障子２の室内側において左右方向に移動し、開閉することができるようにされている。また、固定障子２においては、固定框体４が枠体１の室外側見付面を略覆うようにされており、室外側から見て枠体１が目立たないようにしている。なお、枠体１の室外側寄りであって、可動障子３の室外側には、網戸ユニット７が配置されるが、図１では省略している。
【００１３】
図２には下枠フラットサッシの縦断面図を、図３には下枠フラットサッシの横断面図を、それぞれ示している。枠体１を構成する上枠１０は、外周面側において建物躯体に対して固定され、内周面の室外側に対向するように固定障子２が配置されると共に、室内側には可動障子３を長手方向に沿って案内する外レール部１０ｂが形成されている。
【００１４】
また、上枠１０は金属製の金属上枠１０ａが断面中空状に形成され、金属上枠１０ａの内周面における室内側露出部分は樹脂上枠１３により覆われる。樹脂上枠１３は、室外端部が固定障子２の室内端と近接し、外レール部１０ｂの室内露出面を構成すると共に、室内端部は見付方向内側に突出した室内側部１０ｃとされている。室内側部１０ｃの先端は、固定障子２の固定框体４における内周面位置と略同じ面内に配置されるので、室内側から固定障子２の固定框体４を見えにくくし、意匠性の向上が図られている。
【００１５】
枠体１を構成する下枠１１は、外周面側において建物躯体に対して固定され、内周面の室外側に対向するように固定障子２が配置され、その室内側には可動障子３を長手方向に沿って走行自在とするレール部１１ｂが突出状に形成される。
【００１６】
また、下枠１１は金属製の金属下枠１１ａが断面中空状に形成され、その上面を覆うように樹脂下枠１４が設けられる。樹脂下枠１４の上面は、室外端から室内端に渡るまで、レール部１１ｂの上端と略面一状とされており、これによって下枠１１の敷居面を略平坦状とした下枠フラットサッシを構成している。樹脂下枠１４は、固定障子２が設けられる側においては、固定障子２の室内端部から下枠１１の室内端部に渡って設けられ、可動障子３が設けられる側においては、レール部１１ｂから下枠１１の室内端部に渡って設けられる。なお、可動障子３が設けられる側のレール部１１ｂより室外側には、網戸ユニット７から引き出される網戸を案内する樹脂製の網戸アタッチ材６０が設けられており、網戸アタッチ材６０の上面も、樹脂下枠１４の上面と略同じ高さとなるようにされている。
【００１７】
枠体１を構成する縦枠１２は、外周面側において建物躯体に対して固定され、図中左側の縦枠１２の内周面には、固定障子２が固定される。また、図中右側の縦枠１２の内周面には、室内側に可動障子３が対向配置されると共に、室外側に引き出し自在な網戸ユニット７が配置固定される。
【００１８】
固定障子２が設けられる側の縦枠１２は、金属縦枠１２ａとその室内側内周面を覆う樹脂縦枠１５とからなっている。また、可動障子３が設けられる側の縦枠１２は、金属縦枠１２ａが設けられるがその内周面を覆う樹脂枠は設けられていない。ただし、金属縦枠１２ａの室内側面には樹脂製の防露枠１７が設けられ、また室内端部に設けられるアングル部１６の内周面は、樹脂アングル部１６ｂで覆われる。なお、防露枠１７は上枠１０と下枠１１、及び固定障子２が設けられる側の縦枠１２にも設けられる。
【００１９】
枠体１の室内側端部には、四周に渡ってアングル部１６が室内側に向かって突出するように設けられている。アングル部１６は、枠体１の室内側に四周に渡って設けられる額縁材の内周面に当接し、枠体１と額縁材が連続状となるようにしている。
【００２０】
固定障子２の固定框体４を構成する上框２０と召合せ框２３は、それぞれ金属上框２０ａ、金属召合せ框２３ａの室内側に樹脂上框２４、樹脂召合せ框２５を設けて構成されている。一方で、固定框体４を構成する下框２１と枠側縦框２２は、それぞれ金属下框２１ａ、金属縦框２２ａにより構成されており、金属下框２１ａの室内側には、樹脂下枠１４が固定され、また金属縦框２２ａの室内側には、樹脂縦枠１５が固定される。
【００２１】
樹脂下枠１４は、上面の室外端部が金属下框２１ａの室内面内周端部に係合固定されており、したがって、金属下框２１ａは全体が樹脂下枠１４の上面よりも下方に配置される。これにより、金属下框２１ａは室内側に直接露出しないこととなり、意匠性を高めることができる。
【００２２】
樹脂縦枠１５は、内周面の室外端部が金属縦框２２ａの室内面内周端部に係合固定されている。このため金属縦框２２ａは全体が樹脂縦枠１５の内周面よりも外周側に配置される。これにより、金属下框２１ａと同様、金属縦框２２ａも室内側に直接露出しないこととなり、意匠性を高めることができる。
【００２３】
このように、固定障子２を構成する固定框体４について、上框２０と召合せ框２３にのみ樹脂框を取付け、下框２１と枠側縦框２２には室内面内周端部に樹脂枠が係合されるようにしたことで、少ない部品による簡易な構造によって室内側露出部分を樹脂材で覆った下枠フラットサッシを構成することができる。
【００２４】
可動障子３を構成する上框３０は、室外側の金属上框３０ａと室内側の樹脂上框３０ｂとからなっている。同様に下框３１は金属下框３１ａと樹脂下框３１ｂにより、枠側縦框３２は金属縦框３２ａと樹脂縦框３２ｂにより、召合せ框３３は金属召合せ框３３ａと樹脂召合せ框３３ｂにより、それぞれ構成されている。
【００２５】
次に、下枠１１付近の構成についてより詳細に説明する。図４には、図２における下枠１１付近の拡大図を示している。下枠１１を構成する金属下枠１１ａは、室内側が高く、室外側が低くなる階段状に形成されており、その上面に固定障子２の下框２１が載置され固定されると共に、樹脂下枠１４が固定されることにより、下枠１１の上面が室内側から室外側に渡るまで略平坦状となるようにされている。
【００２６】
金属下枠１１ａの上面には、前述のようにレール部１１ｂが形成されている。このレール部１１ｂには、上部に被さるようにレール部材４０が取付けられ、その上面には可動障子３の下端部に設けられる戸車３４を載置し走行自在とする走行部４０ａが形成される。
【００２７】
金属下枠１１ａの室外側上面には、下框台座部材４１がネジ止め固定されている。下框台座部材４１は、ピース状の部材であって金属下枠１１ａの上面に所定間隔おきに設けられ、上面は凸状に形成されている。金属下框２１ａの外周面は金属下枠１１ａの内周面と対向しており、長手方向に沿って凹状に形成された凹部２１ｂを有している。この凹部２１ｂを下框台座部材４１に載置することで、固定障子２の下框２１が枠体１に固定される。
【００２８】
固定障子２の下框２１は、内周面に凹状のパネル保持溝２７が形成されてパネル体６の周縁部を納め、グレチャン２７ａを介してパネル体６を保持固定している。パネル保持溝２７の室内側には、凹状の室内側係合部２１ｃが形成されており、樹脂下枠１４を係合自在としている。また、パネル保持溝２７の室外側には、室外側に張り出した室外内周面２１ｄが形成されている。室外内周面２１ｄと室内側係合部２１ｃの内周端は、いずれも下枠１１のレール部１１ｂ上端と略同じ高さとなるように配置されており、下框２１は金属下枠１１ａの低く形成された位置に納められるので、下框２１の見付面は室内側に露出することがなく、固定障子２の框が室内側から見えないようにすることができる。
【００２９】
金属下枠１１ａの上面に設けられる樹脂下枠１４は、レール部１１ｂよりも室外側に設けられる中間樹脂下枠１４ａと、レール部１１ｂよりも室内側に設けられる室内樹脂下枠１４ｅの二部材により構成されている。中間樹脂下枠１４ａは、固定障子２の室内側からレール部１１ｂに渡るように設けられ、固定障子２の室内側内周端部に係合する固定障子取付部１４ｂと、レール部１１ｂに固定されるレール固定部１４ｃとを有している。
【００３０】
また、中間樹脂下枠１４ａは、固定障子取付部１４ｂから可動障子３の室外面近傍に渡る略平面状の上面部１４ｄを有し、この上面部１４ｄはレール部１１ｂの上端と略同じ高さとなるように形成されており、下枠１１の平坦状に形成される上面の一部を構成している。
【００３１】
レール固定部１４ｃは、上面部１４ｄよりも低い位置で室内側に延出されると共に、端部がレール部１１ｂの室外面において係合し固定がなされる。これに伴い、レール部１１ｂの室外側には、長手方向に沿う溝状の室外凹部１１ｄが形成される。室外凹部１１ｄの室内面はレール部１１ｂにより構成され、底面及び室外面は中間樹脂下枠１４ａにより構成される。
【００３２】
室内樹脂下枠１４ｅは、レール部１１ｂからアングル部１６に渡るように設けられ、レール部１１ｂ側は断面略Ｌ字状に形成されることで、レール部１１ｂの室内側に、長手方向に沿う溝状の室内凹部１１ｃが形成される。室内凹部１１ｃの室外面はレール部１１ｂにより構成され、底面及び室内面は室内樹脂下枠１４ｅにより構成される。
【００３３】
室内樹脂下枠１４ｅの室内凹部１１ｃより室内側は、レール部１１ｂの上端と略同じ高さの上面を有する室内側部１４ｆとされている。室内側部１４ｆは、金属下枠１１ａの室内端部と係合し、固定がなされる。室内樹脂下枠１４ｅの室内側部１４ｆは、レール部１１ｂの上端と略同じ高さを有した平面状に形成されることで、アングル部１６の内周面とも略面一状となる。これら室内樹脂下枠１４ｅと中間樹脂下枠１４ａにより、下枠１１の上面はアングル部１６から固定障子２の室内側に渡るまでがレール部１１ｂの上端と略同じ高さを有する略平坦な平面を有することとなる。
【００３４】
可動障子３を構成する下框３１は、レール部１１ｂに載置される戸車３４と、戸車３４よりも室内側が下方に垂下されて、下枠１１の室内凹部１１ｃ内に配置される室内垂下片３１ｃと、戸車３４よりも室外側が下方に垂下されて、下枠１１の室外凹部１１ｄ内に配置される室外垂下片３１ｄとを有している。
【００３５】
室外垂下片３１ｄは、金属下框３１ａの室外面がそのまま下方に延出されてなり、板状に形成されると共に、室外凹部１１ｄ内においてレール部１１ｂと対向する。その対向する室内面には、長手方向に沿ってタイト材を保持可能なタイト材保持部３１ｅが形成される。タイト材保持部３１ｅには、可動障子３と枠体１の間の横方向の気密をなす横タイト材４２が取付けられ、横タイト材４２はレール部１１ｂの室外面に当接することで、気密をなすようにしている。
【００３６】
室内垂下片３１ｃは、金属下框３１ａの室内面がそのまま下方に延出されてなり、板状に形成されると共に、室内凹部１１ｃ内においてレール部１１ｂと対向する。下框３１の室内面は、金属下框３１ａの室内側に設けられる樹脂下框３１ｂが構成するが、室内垂下片３１ｃを金属下框３１ａから板状に垂下するようにしたことで、室内垂下片３１ｃの強度を確保しつつ、これを薄くすることができるので、室内凹部１１ｃの幅を小さくすることができ、略平坦な下枠上面をより広くすることができて、下枠のフラット性をより高くすることができる。
【００３７】
一方、樹脂下框３１ｂは、下端面３１ｆが室内垂下片３１ｃより上方に位置すると共に、樹脂下枠１４を構成する室内樹脂下枠１４ｅの室内側部１４ｆに近接対向する。すなわち、樹脂下框３１ｂの下端面３１ｆは、下枠１１の略平坦な上面との間に僅かな隙間を有して対向し、これによって金属材からなる室内垂下片３１ｃが室内側から見えにくくなるようにしている。したがって、室内垂下片３１ｃを金属下框３１ａに形成していても、意匠性を損ねることがない。
【００３８】
また、中間樹脂下枠１４ａにおける室外凹部１１ｄの室内面を構成する面には、長手方向に沿ってタイト材保持部１４ｇが形成されており、このタイト材保持部１４ｇに対し横方向にタイト材４４が設けられる。タイト材４４は、下框３１の室外垂下片３１ｄの室外面に当接し、可動障子３と枠体１の間の気密性をより高くしている。また、タイト材４４はゴムや軟質樹脂など変形自在な材質からなるため、可動障子３を開いた際において、タイト材４４は室外凹部１１ｄを覆うような形となり、室外凹部１１ｄ内を見えにくくして意匠性を向上させることができる。
【００３９】
次に、上枠１０付近の構成についてより詳細に説明する。図５には、図２における上枠１０付近の拡大図を示している。上枠１０は、金属上枠１０ａが室内外方向において階段状に形成され、室外側の内周面は固定障子２の上框２０の外周面と対向し、室内側の内周面には上レール部１０ｂが形成されて可動障子３を長手方向に案内する。
【００４０】
固定障子２の金属上框２０ａは、室外面が上方に延出され、金属上枠１０ａの室外面に室外側から当接する。そして、室外側から金属上框２０ａと金属上枠１０ａがネジ止め固定される。金属上框２０ａの室外面には、室外樹脂カバー２６が設けられ、金属上框２０ａを覆うと共に、固定框体４の枠体１に対する固定部分も覆って室外側に露出しないようにしている。
【００４１】
次に、縦枠１２付近の構成についてより詳細に説明する。図６には、図３における固定障子２が配置される側の縦枠１２付近の拡大図を示している。金属縦枠１２ａの内周面には、室外側から順に室外突出片１２ｂと中間突出片１２ｃ、及び室内面部１２ｄが見付方向内側に向かって突出状に設けられている。
【００４２】
固定障子２を構成する枠側縦框２２の室外面外周部には、見付方向外側に向かって突出する固定片２２ｂが形成されており、この固定片２２ｂが縦枠１２の室外突出片１２ｂに当接し、室外側からネジ止め固定される。また、縦框２２の室外面には、室外樹脂カバー２６が設けられ、縦框２２を覆うと共に、固定框体４の枠体１に対する固定部分も覆って室外側に露出しないようにしている。
【００４３】
縦枠１２を構成する樹脂縦枠１５は、金属縦枠１２ａの中間突出片１２ｃ及び室内面部１２ｄに係合し固定される。また、樹脂縦枠１５は、固定障子２を構成する枠側縦框２２の室内側内周端であってパネル体６に近接した位置から縦枠１２のアングル部１６に渡る平坦面１５ａを有している。この平坦面１５ａは、縦枠１５のアングル部１６と略面一状とされており、したがって枠体１の内周面を縦辺において略面一状とすることができ、意匠性をより高めることができる。
【００４４】
また、図７には、図３における可動障子３が配置される側の縦枠１２付近の拡大図を示している。可動障子３が配置される側の縦枠１２は、室外端部に室外面部１２ｅを、さらに可動障子３が配置される位置に中間片１２ｆを、それぞれ有している。室外面部１２ｅの内側には網戸ユニット７が配置される。
【００４５】
中間片１２ｆは、可動障子３を構成する枠側縦框３２の室内面と室外面の間に配置される。また、枠側縦框３２の室外側面には、室内側に向かうように縦タイト材４３が設けられ、この縦タイト材４３が中間片１２ｆに当接することで、可動障子３と枠体１の縦辺における気密性を確保するようにしている。
【００４６】
次に、固定障子２と可動障子３の召合せ部分についてより詳細に説明する。図８には、図３における固定障子２と可動障子３の召合せ部分付近の拡大図を示している。固定障子２の召合せ框２３は、前述のように金属召合せ框２３ａと樹脂召合せ框２５によって構成されている。
【００４７】
金属召合せ框２３ａは、内周面にパネル保持溝２７を有し、グレチャン２７ａを介してパネル体６の周縁部を保持固定する。パネル保持溝２７の外周側と室内側には中空部２８が形成されており、このうちパネル保持溝２７の外周側には第１中空部２８ａが、パネル保持溝２７及び第１中空部２８ａの室内側には第２中空部２８ｂが、それぞれ形成される。
【００４８】
樹脂召合せ框２５は、第２中空部２８ｂの内周面及び室内側面を覆うように、断面略Ｌ字状に形成されており、第２中空部２８ｂの内周面を覆っている側の面の室外端部はパネル体６近傍まで伸びている。また、樹脂召合せ框２５のうち第２中空部２８ｂの室内側面を覆っている側の面は、樹脂召合せ框２５に対して係合固定される。
【００４９】
ここで、可動障子３の召合せ框３３には、可動障子３を施錠するためにクレセント４５が設けられ、固定障子３の召合せ框２３には、クレセント４５を受ける受け金具４６が設けられる。受け金具４６は、固定障子２の召合せ框２３から内周側に突出するように設ける必要がある。
【００５０】
樹脂召合せ框２５及び金属召合せ框２３ａには、内周面側に受け金具４６を挿通させることのできる貫通孔２５ａが形成されており、この貫通孔２５ａから受け金具４６の外周側端部を第２中空部２８ｂに挿入することができるようにされている。そして、受け金具４６は金属召合せ框２３ａの室内側面からネジ止め固定される。これにより、受け金具４６の露出を最低限にすることができ、特に可動障子３を開いた際において意匠性を損なわないようにすることができる。
【００５１】
また、金属召合せ框２３ａの第１中空部２８ａには、外周面側に長手方向に沿う凹状の磁石保持部２３ｂが形成され、磁石保持部２３ｂには金属召合せ框２３ａの長手方向略全長に渡る磁石２３ｃが設けられる。磁石２３ｃは、網戸ユニット７から引き出されたスライドバー７ａを固定するために用いられ、これが長手方向に沿って設けられることにより、スライドバー７ａと金属召合せ框２３ａとの間に隙間を生じることを防止することができる。
【００５２】
可動障子３の召合せ框３３は、前述のように金属召合せ框３３ａと樹脂召合せ框３３ｂからなっている。金属召合せ框３３ａは、内周面側にパネル保持溝２７を備え、グレチャン２７ａを介してパネル体６の周縁部を保持する。また、パネル保持溝２７よりも室内側は、室内側に向かって大きく張り出す室内張出部３３ｃを有しており、樹脂召合せ框３３ｂは金属召合せ框３３ａの外周面と室内側面及び内周面を覆うように形成されている。
【００５３】
固定障子２の召合せ框２３と可動障子３の召合せ框３３は、可動障子３が閉じた状態において内周面と外周面がいずれも略面一状となるように形成されている。すなわち、これらは左右方向の幅が略同じとなるように形成されている。これにより、固定障子２の召合せ框３３は、可動障子３によって隠れた状態となり、室内側から見えにくいようにすることができる。
【００５４】
また、固定障子２の召合せ框２３と可動障子３の召合せ框３３は、左右方向の幅ができるだけ小さくなるように形成されており、このため固定障子２の召合せ框２３については第２中空部２８ｂを、可動障子３の召合せ框３３については室内張出部３３ｃを、それぞれ設けることによって、強度を確保している。
【００５５】
可動障子３の下辺に設けられる横タイト材４２と縦辺に設けられる縦タイト材４３は、コーナー部材４７によって連続状とされる。図９には、可動障子３の下框３１と枠側縦框３２の連結部分の斜視図を示している。この図に示すように、可動障子３の下框３１と枠側縦框３２との連結部分には、コーナー部材４７が設けられる。コーナー部材４７は、ブロック状の部品であって、枠側縦框３２の中空内部に挿入固定されている。また、コーナー部材４７には、下框３１の室内垂下片３１ｃ及び室外垂下片３１ｄとそれぞれ連続する室内連続部４７ａ及び室外連続部４７ｂが下方に向かって突出するように設けられている。
【００５６】
図１０には、コーナー部材４７の斜視図を示している。この図に示すように、コーナー部材４７は前述の室内連続部４７ａと室外連続部４７ｂを下面に備え、上部には枠側縦框３２の中空内部に挿入される縦框挿入部４７ｃが形成されている。また、縦框挿入部４７ｃから室内側に向かって樹脂框キャップ４７ｆが形成されており、樹脂縦框３２ｂの端面を塞ぐことができる。
【００５７】
コーナー部材４７の室外連続部４７ａの下端部には、横方向に横タイト連続部４７ｄが、さらに縦方向には縦タイト連続部４７ｅが設けられ、これらは略連続となるようにＬ字状をなすように配置される。そして、図９に示すようにコーナー部材４７が下框３１と枠側縦框３２の連結部分に取付けられることで、横タイト連続部４７ｄは下框３１の横タイト材４２と連続し、縦タイト連続部４７ｅは枠側縦框３２の縦タイト材４３と連続し、全体としては下框３１から枠側縦框３２に渡って横タイト材４２と縦タイト材４３が同一面内で連続する。
【００５８】
このように、横タイト材４２と縦タイト材４３を可動框体５の同一面内で連続状となるようにコーナー部材４７を設けたことにより、枠体１と可動障子３の間の気密性をコーナー部分も含めて確実に確保することができる。なお、ここでは下框３１と枠側縦框３２の連結部分について説明したが、枠体１との間で気密が必要な上框３０と枠側縦框３２の連結部分についても、同様にコーナー部材４７を介して横タイト材４２と縦タイト材４３とが連続状とされる。
【００５９】
次に、アングル部１６の構成についてより詳細に説明する。図１１には、図４におけるアングル部１６付近の拡大図を示している。なお、この図では枠体１の室内側に設けられる額縁材８についても示している。下枠１１のアングル部１６は、金属下枠１１ａの室内側端部が室内側に延出された金属アングル部１６ａと、金属アングル部１６ａの上面を覆うように取付けられる樹脂アングル部１６ｂとからなっている。
【００６０】
金属アングル部１６ａは額縁材８に対してネジ止め固定される。一方、樹脂アングル部１６ｂは金属アングル部１６ａに対して室内端部と室外端部でそれぞれ係合することにより固定がなされる。このため、室内側に露出する樹脂アングル部１６ｂに、ネジ頭が露出することがなく、意匠性を高めることができると共に、樹脂アングル部１６ｂをネジ止めすることに伴い生じる可能性のある、樹脂材の波打ち現象を防止することができる。
【００６１】
額縁材８は、室外側面が下枠１１の室内側面に当接し、上面はアングル部１６が配置される部分が切り欠かれて段差部８ａを構成し、アングル部１６よりも室内側の上面はアングル部１６の上面と面一状となるようにしている。段差部８ａを構成する垂直面８ｂは、アングル部１６の室内端部に近接しており、アングル部１６と額縁材８の上面が略連続状となるようにしている。
【００６２】
金属アングル部１６ａは、額縁材８の垂直面８ｂよりも室外側に端部を有し、金属アングル部１６ａの端部から額縁材８の垂直面８ｂにかけては樹脂アングル部１６ｂのみで構成されている。樹脂アングル部１６ｂは、金属アングル部１６ａ側の外周面に、長手方向に沿って突出する係合部１６ｃを有しており、この係合部１６ｃが金属アングル部１６ａの端部に形成される被係合部１６ｅに対して係合する。
【００６３】
金属アングル部１６ａの室内端部には、長手方向に沿って凹状の係合凹部１６ｆが形成されており、一方で樹脂アングル部１６ｂの室内端部には、係合凹部１６ｆに係合自在な室内係合部１６ｇが形成されている。これによって樹脂アングル部１６ｂは室内端部で金属アングル部１６ａに対して係合固定される。
【００６４】
樹脂アングル部１６ｂの係合部１６ｃよりも室内側であって、額縁材８の垂直面８ｂに隣接する室内端部には、長手方向に沿って突出する覆い部１６ｄが形成されている。覆い部１６ｄは、額縁材８の垂直面８ｂと隣接するように配置されることで、アングル部１６と額縁材８とが略連続状となるようにしている。
【００６５】
樹脂アングル部１６ｂの係合部１６ｃと覆い部１６ｄは、所定間隔を有して離隔配置される。その所定間隔は、係合部１６ｃが金属アングル部１６ａの被係合部１６ｅに対して係合する際に弾性変形する大きさよりも大きくなるように設定される。これによって、アングル部１６と額縁材８とが略連続状となるように、樹脂アングル部１６ｂの覆い部１６ｄを額縁材８の垂直面８ｂと隣接するように配置しても、樹脂アングル部１６ｂの金属アングル部１６ａに対する係合に必要なスペースが確保されているので、樹脂アングル部１６ｂを金属アングル部１６ａに対して確実に係合固定することができる。
【００６６】
ここでは、下枠１１におけるアングル部１６について説明したが、前述のようにアングル部１６は枠体１の四周に渡って設けられており、上枠１０及び縦枠１２についても、同様の構造を有したアングル部１６が設けられている。
【００６７】
また、各枠材の連結部分において、アングル部１６にはアングルコーナー部材４８が設けられる。図１２には、下枠１１と縦枠１２の連結部分の斜視図を示している。この図に示すように、下枠１１のアングル部１６と縦枠１２のアングル部１６は、アングルコーナー部材４８を介して連結されている。アングルコーナー部材４８は、下枠１１及び縦枠１２の各樹脂アングル部１６ｂの端部を覆っており、これらが連続状となるようにしている。
【００６８】
図１３には、アングルコーナー部材４８が取付けられる前の状態における下枠１１と縦枠１２の連結部分の斜視図を示している。この図に示すように、アングル部１６において樹脂アングル部１６ｂは、端部が金属アングル部１６ａよりも短く、したがって枠材の連結部分において樹脂アングル部１６ｂはコーナー部分が空いた状態となっている。ここにアングルコーナー部材４８が取付けられる。
【００６９】
このように枠材の連結部分にアングルコーナー部材４８を設けることにより、樹脂アングル部１６ｂ同士を突き合わせる必要がなく、したがって温度変化等により樹脂アングル部１６ｂが伸縮しても、見栄えが変化しないようにすることができる。
【００７０】
図１４にはアングルコーナー部材４８の斜視図を、図１５にはアングルコーナー部材４８の別の角度から見た斜視図を、それぞれ示している。アングルコーナー部材４８は、連続状とされるアングル部１６ｂの内周面を覆う内周覆い部４８ａと、アングル部１６ｂの室内側面を覆う室内覆い部４８ｂとを有して全体が略Ｌ字状となるように形成されている。
【００７１】
内周覆い部４８ａは、端面が室内側から室外側に向かう下り傾斜状に形成されている。これにより、アングル部１６ｂの縦辺に結露水等が発生し、下方に流れてきた場合に、水を室外側に導くことができ、水の額縁材８側への浸入を防止することができる。
【００７２】
また、図１５に示すように、内周覆い部４８ａの裏側には、室外側に係合片４８ｃが突出状に形成されている。係合片４８ｃは、内周覆い部４８ａの一面側にのみ形成されている。また、係合片４８ｃは、樹脂アングル部１６ｂの室内係合部１６ｇと同じ位置でかつ略同じ形状を有するように形成されている。図１３に示すように、枠材が連結されるコーナー部分において金属アングル部１６ａは露出しているので、金属アングル部１６ａの係合凹部１６ｆに対して係合片４８ｃを係合することができる。
【００７３】
内周覆い部４８ａにおいて係合片４８ｃよりも室外側には係止片４８ｄが突出状に形成されている。係止片４８ｄは、樹脂アングル部１６ｂの係合部１６ｃと同じ位置でかつ略同じ形状を有するように形成されており、したがって金属アングル部１６ａの被係合部１６ｅに対して係合することができる。
【００７４】
これら係止片４８ｄと係合片４８ｃによってアングルコーナー部材４８が枠体１に対して固定される。また、これらの係合部は、アングルコーナー部材４８を構成する内周覆い部４８ａの一面側にのみ形成されているので、アングルコーナー部材４８は連結される枠材の一方にのみ固定されることとなる。このように係合部が形成されていることにより、アングルコーナー部材４８をアングル部１６に対し容易に取付固定することができる。
【００７５】
また、アングルコーナー部材４８の内周覆い部４８ａは、両端面がいずれも室内側から室外側に向かう下り傾斜状に形成されていることにより、枠体１の左右いずれのコーナー部分においても前述の機能を果たすことができる。すなわち、すべてのコーナー部分に同じ部品を用いることができるので、コストダウンを図ることができる。
【００７６】
次に、下枠１１に設けられる可動障子３のサブロックおよびストッパについて説明する。図３に示すように、下枠１１上面の固定障子２より室内側であって、可動障子３が走行可能な領域には、可動障子３に隣接するように埋込みサブロック５０が設けられ、可動障子３から離隔した位置に埋込みストッパ５１が設けられる。
【００７７】
埋込みサブロック５０は、押圧操作により出没自在なロック部５０ａを備えている。可動障子３が閉じた状態において、ロック部５０ａを操作して下枠１１の上面から突出した状態とすることにより、ロック部５０ａは可動障子３の召合せ框３３外周面に当接し、可動障子３が開かないようにロックすることができる。可動障子３は、前述のようにクレセント４５により施錠がなされるが、埋込みサブロック５０は補助的な施錠手段として機能する。
【００７８】
埋込みストッパ５１は、図４に想像線で示されているように、下枠１１の上面から突出したストッパ部５１ａを有しており、ストッパ部５１ａの上端は可動障子３の召合せ框３３の下面よりも上方に位置するようにされている。これによって、可動障子３を埋込みストッパ５１の位置まで開いた際において、ストッパ部５１ａが召合せ框３３に当接するので、可動障子３をそれ以上開けないようにすることができる。したがって、可動障子３を必要以上に走行させないようにすることができる。
【００７９】
室内樹脂下枠１４ｅには、埋込みサブロック５０を挿通させる挿通孔１４ｈが形成されている。また、埋込みストッパ５１を挿通させる挿通孔１４ｉも設けられている。埋込みサブロック５０及び埋込みストッパ５１は、それぞれ挿通孔１４ｈ、１４ｉに挿通されて室内樹脂下枠１４ｅの上面に露出しているが、室内樹脂下枠１４ｅに直接固定されてはいない。
【００８０】
図１６には、室内樹脂下枠１４ｅを取り除いた下枠１１のうち埋込みサブロック５０付近の斜視図を示している。この図に示すように、埋込みサブロック５０は金属下枠１１ａのレール部１１ｂの室内側の領域に嵌め込まれており、その下部には金属下枠１１ａに対してネジ止めされる下枠固定部５０ｂを有している。すなわち、埋込みサブロック５０は金属下枠１１ａに対して直接固定される。
【００８１】
埋込みサブロック５０には、室内樹脂下枠１４ｅの挿通孔１４ｈの位置に、挿通孔１４ｈの縁部の全周を覆うように縁カバー体５２が設けられる。図１８には、縁カバー体５２の斜視図を示している。図１８（ａ）と図１８（ｂ）は、それぞれ縁カバー体５２を異なる角度から見た斜視図である。
【００８２】
図１８（ａ）に示すように、縁カバー体５２は、埋込みサブロック５０を挿通させる挿通部５２ａを有し、その周囲は室内樹脂下枠１４ｅの挿通孔１４ｈの縁部を覆う被覆部５２ｂが平面状に形成されている。また、図１８（ｂ）に示すように、被覆部５２ｂの裏側には、縁カバー体５２を室内樹脂下枠１４ｅに係合固定するための固定部５２ｃが設けられている。
【００８３】
図１６に示すように、埋込みサブロック５０が金属下枠１１ａに対して固定され、埋込みサブロック５０を挿通させる室内樹脂下枠１４ｅの挿通孔１４ｈの周囲部は縁カバー体５２により覆って、埋込みサブロック５０は縁カバー体５２の内側において取付けられた状態とすることで、温度変化等により室内樹脂下枠１４ｅが収縮し、室内樹脂下枠１４ｅと埋込みサブロック５０との間に隙間が生じても、縁カバー体５２によりその部分は被覆されているので、露出することがなく、意匠性を損なうことがないようにすることができる。
【００８４】
また、図１７には室内樹脂下枠１４ｅを取り除いた下枠１１のうち埋込みストッパ５１付近の斜視図を示している。この図に示すように、埋込みストッパ５１においても同様に周囲を取り囲むように縁カバー体５２を設けてあり、埋込みストッパ５１は金属下枠１１ａに対して固定される下枠固定部５２ｂを下部に有している。これによって、埋込みストッパ５１と室内樹脂下枠１４ｅとの間に生じる隙間が露出することを防止することができる。
【００８５】
ここまで固定障子２の一方側に片引き形式の可動障子３を設けた下枠フラットサッシについて説明したが、本発明はそれ以外のサッシであっても適用することができる。ここでは、別の形態のサッシとして、固定障子２の両側にそれぞれ片引き形式の可動障子３を設けた下枠フラットサッシを示す。
【００８６】
図１９には、固定障子２の両側に可動障子３を設けた下枠フラットサッシの正面図を示している。また、図２１（ｂ）には、本形態のサッシの斜視図を示している。サッシ全体の構成は、可動障子３が固定障子２の両側に配置されている点以外は、概ね図１に示したサッシと同様である。可動障子３は、いずれも固定障子２よりも室内側に配置される内障子とされ、固定障子２が外障子とされる。また、固定障子２は、両側に可動障子３が配置されていることに伴い、両方の縦框が召合せ框３３とされている。
【００８７】
図２０には、図１９のサッシの横断面図を示している。なお、縦断面図は図２と同様となる。本形態のサッシでは、前述のように固定障子２を構成する縦框が左右いずれも召合せ框２３であり、金属召合せ框２３ａと樹脂召合せ框２５とからなっている。このサッシにおいて、図中右側の可動障子３は図１のサッシにおける可動障子３と同じ構成を有し、図中左側の可動障子３は図１のサッシにおける可動障子３と左右反転した以外は同じ構成を有している。
【００８８】
このサッシにおいても、樹脂下枠１４を中間樹脂下枠１４ａと室内樹脂下枠１４ｅとで構成し、中間樹脂下枠１４ａを固定障子２とレール部１１ｂとに固定し、その間をレール部１１ｂと略同じ高さの平坦面で構成する本発明をそのまま適用することができる。
【００８９】
以上、本発明の実施形態について説明したが、本発明の適用は本実施形態には限られず、その技術的思想の範囲内において様々に適用されうるものである。
【図面の簡単な説明】
【００９０】
【図１】本実施形態における下枠フラットサッシの正面図である。
【図２】下枠フラットサッシの縦断面図である。
【図３】下枠フラットサッシの横断面図である。
【図４】図２における下枠付近の拡大図である。
【図５】図２における上枠付近の拡大図である。
【図６】図３における固定障子が配置される側の縦枠付近の拡大図である。
【図７】図３における可動障子が配置される側の縦枠付近の拡大図である。
【図８】図３における固定障子と可動障子の召合せ部分付近の拡大図である。
【図９】可動障子の下框と枠側縦框の連結部分の斜視図である。
【図１０】コーナー部材の斜視図である。
【図１１】図４におけるアングル部付近の拡大図である。
【図１２】下枠と縦枠の連結部分の斜視図である。
【図１３】アングルコーナー部材が取付けられる前の状態における下枠と縦枠の連結部分の斜視図である。
【図１４】アングルコーナー部材の斜視図である。
【図１５】アングルコーナー部材の別の角度から見た斜視図である。
【図１６】室内樹脂下枠を取り除いた下枠のうち埋込みサブロック付近の斜視図である。
【図１７】室内樹脂下枠を取り除いた下枠のうち埋込みストッパ付近の斜視図である。
【図１８】縁カバー体の斜視図である。
【図１９】固定障子の両側に可動障子を設けた下枠フラットサッシの正面図である。
【図２０】図１９のサッシの横断面図である。
【図２１】各サッシの斜視図である。
【符号の説明】
【００９１】
１    枠体
２    固定障子
３    可動障子
４    固定框体
５    可動框体
６    パネル体
７    網戸ユニット
８    額縁材
１０    上枠
１０ａ  金属上枠
１０ｂ  外レール部
１０ｃ  室内側部
１１    下枠
１１ａ  金属下枠
１１ｂ  レール部
１１ｃ  室内凹部
１１ｄ  室外凹部
１２    縦枠
１２ａ  金属縦枠
１３    樹脂上枠
１４    樹脂下枠
１４ａ  中間樹脂下枠
１４ｅ  室内樹脂下枠
１５    樹脂縦枠
１５ａ  平坦面
１６    アングル部
１６ａ  金属アングル部
１６ｂ  樹脂アングル部
１６ｃ  係合部
１６ｄ  覆い部
１６ｅ  被係合部
２０    上框
２１    下框
２２    枠側縦框
２３    召合せ框
２４    樹脂上框
２５    樹脂召合せ框
２５ａ  貫通孔
２８    中空部
２８ａ  第１中空部
２８ｂ  第２中空部
３０    上框
３１    下框
３１ｃ  室内垂下片
３１ｄ  室外垂下片
３２    枠側縦框
３３    召合せ框
４２    横タイト材
４３    縦タイト材
４４    タイト材
４６    受け金具
４７    コーナー部材
４７ａ  室内連続部
４７ｂ  室外連続部
４７ｄ  横タイト連続部
４７ｅ  縦タイト連続部
４８    アングルコーナー部材
４８ａ  内周覆い部
４８ｂ  室内覆い部
４８ｃ  係合片
４８ｄ  係止片
５０    埋込みサブロック
５１    埋込みストッパ
５２    縁カバー体
【図１】
0004989562.tif 000002
【図２】
0004989562.tif 000003
【図３】
0004989562.tif 000004
【図４】
0004989562.tif 000005
【図５】
0004989562.tif 000006
【図６】
0004989562.tif 000007
【図７】
0004989562.tif 000008
【図８】
0004989562.tif 000009
【図９】
0004989562.tif 000010
【図１０】
0004989562.tif 000011
【図１１】
0004989562.tif 000012
【図１２】
0004989562.tif 000013
【図１３】
0004989562.tif 000014
【図１４】
0004989562.tif 000015
【図１５】
0004989562.tif 000016
【図１６】
0004989562.tif 000017
【図１７】
0004989562.tif 000018
【図１８】
0004989562.tif 000019
【図１９】
0004989562.tif 000020
【図２０】
0004989562.tif 000021
【図２１】
0004989562.tif 000022